(57)【特許請求の範囲】
【請求項１】
基礎コンクリートに立設したアンカーボルトに螺合する座付きナットであって、
前記アンカーボルトに螺合する円筒状の胴部と、
前記胴部の上端に形成する皿状の座部と、からなり、
前記座部の底面には、前記胴部との連結部から前記座部の周端まで連続する切り刃を有し、
前記胴部は、下端から所定の高さに亘って形成する小径部と、前記小径部より大径であり、前記小径部の上部に形成する大径部と、を有し、
前記大径部の下端には、周方向に所定の間隔で座ぐり刃を配列することを特徴とする、
座付きナット。
【発明の詳細な説明】
【技術分野】
【０００１】
本発明は、木造住宅において、コンクリート基礎に立設するアンカーボルトに螺合して土台を基礎コンクリート上に固定するために用いる座付きナットに関するものである。
【背景技術】
【０００２】
木造住宅において、土台にボルト孔を形成し、コンクリート基礎に立設したアンカーボルトをボルト孔に挿通し、アンカーボルトに座付きナットを螺合し、座付きナット上面に設けたビット孔に回転工具のビットを嵌合し、回転工具によって座付きナットを回動させて、座付きナットの座部の下面に設けた切り刃によってボルト孔周囲の土台を切削しながら座堀りを行い、座部を土台に埋入して緊結して、土台をコンクリート基礎上に固定する方法が用いられている。
【０００３】
このときに用いられる座付きナットは、Ｍ１２のアンカーボルトに対応したものであり、土台に形成するボルト孔は径が１８ｍｍである（図６）。
【先行技術文献】
【特許文献】
【０００４】
【特許文献１】実開平０４−１８７１７号公報
【発明の概要】
【発明が解決しようとする課題】
【０００５】
近年は、土台の強度を上げるために、ボルト孔を１５ｍｍとした土台が使用されている。
しかし、従来用いられている座付きナットは、胴部の径が１６ｍｍであるため、１５ｍｍ径のボルト孔に使用するためには、専用の工具を用いた座ぐりが必要であった。
【０００６】
また、Ｍ１６のアンカーボルトに対応した座付きナットとして、胴部の径が２２ｍｍのものが用いられているが、土台のボルト孔を１８ｍｍにした場合には、
同様に座ぐりが必要となる。
【０００７】
本発明は、座堀りと座ぐりを同時に行うことができる、座付きナットを提供することを目的とする。
【課題を解決するための手段】
【０００８】
上記目的を達成するためになされた本願の第１発明は、基礎コンクリートに立設したアンカーボルトに螺合する座付きナットであって、前記アンカーボルトに螺合する円筒状の胴部と、前記胴部の上端に形成する皿状の座部と、からなり、前記座部の底面には、前記胴部との連結部から前記座部の周端まで連続する切り刃を有し、前記胴部は、下端から所定の高さに亘って形成する小径部と、前記小径部より大径であり、前記小径部の上部に形成する大径部と、を有し、前記大径部の下端には、周方向に所定の間隔で座ぐり刃を配列することを特徴とする、座付きナットを提供する。
【発明の効果】
【０００９】
本発明は、上記した課題を解決するための手段により、次のような効果の少なくとも一つを得ることができる。
（１）座ぐり刃を有するため、座ぐり専用の工具を用いずに座ぐりを行うことができる。
（２）胴部の下端側の小径部を先にボルト孔に挿入した状態で座ぐりを行うため、安定した姿勢で座ぐりを行うことができる。
（３）小径部の上部に位置する大径部の下端に座ぐり刃を設けるため、座ぐりする深さが短い。
（４）大径部を有することにより、従来の大径のボルト孔を有する土台にも対応することができる。
（５）切り刃と座ぐり刃を有することにより、座堀りと座ぐりを同時に行うことができる。
【図面の簡単な説明】
【００１０】
【図１】本発明の座付きナットの斜視図
【図２】本発明の座付きナットの使用状態の説明図
【図３】本発明の座付きナットの側面図
【図４】本発明の座付きナットの底面図
【図５】本発明の座付きナットの使用方法の説明図
【図６】従来の座付きナットの説明図
【発明を実施するための形態】
【００１１】
以下、図に示す実施例に基づき、本発明を詳細に説明する。
【実施例１】
【００１２】
［１］座付きナットの構成
本発明の座付きナット１は、金属製の部材であり、ナット本体である円筒状の胴部１１と、胴部１１の上端に形成する皿状の座部１２と、からなるものである（図１）。
本発明の座付きナット１は、木造住宅のコンクリート基礎２に立設するアンカーボルト３に螺合し、土台４を基礎コンクリート２上に固定するために用いる（図２）。
以下、各構成部材について詳述する。
【００１３】
（１）胴部
胴部１１は、円筒状であり、中心にアンカーボルト３と螺合するネジ孔１３を有する。ネジ孔１３は、Ｍ１２のアンカーボルトに対応する。
胴部１１は、下端から所定の高さ縮径した小径部１１１を形成し、小径部１１１の上部に小径部１１１よりも大径の大径部１１２を形成する。小径部１１１の外径は１４ｍｍとし、大径部１１２の外径は１６ｍｍとする。
【００１４】
（２）座ぐり刃
胴部１１の大径部１１２の下端、すなわち小径部１１１と大径部１１２の境界には、座ぐり刃１１３を形成する。
座ぐり刃１１３は、胴部１１の周方向に所定の間隔をもって配列して形成する（図３、図４）。
【００１５】
（３）座部
座部１２は、胴部１１の上端に皿状に形成する。
座部１２は、上面に回転工具のビットを嵌合するビット孔１４を形成する。ビット孔１４はネジ孔１３と連続する。ビット孔１４の形状は回転工具のビットの形状に合わせて、ギア状（星形状）や六角形状とする。
また、座部１２の底面には、切り刃１５を形成する。
【００１６】
（４）切り刃
切り刃１５は、座部１２の底面の、胴部１１との連結部から外周端まで連続して形成する。
切り刃１５の外周端側は胴部１１側に対して、アンカーボルト３に螺合する回転方向と逆方向に位置する。
【００１７】
［２］使用方法
次に本発明の座付きナット１の使用方法について説明する。
【００１８】
（１）土台の配置
木造住宅用のコンクリート基礎３に立設したアンカーボルト２を，木製の土台４に設けたボルト孔４１に挿通し、土台をコンクリート基礎３上に配置する。
【００１９】
（２）座付きナットの螺合
次に、座付きナット１をアンカーボルト２に螺合する（図５ａ）。
座付きナット１は、回転工具のビット（図示せず）をビット孔１４に嵌合し、胴部１１側を下にしてネジ孔１３にアンカーボルト３を嵌合して、回転工具のビットを回転させることによりビットと共に回転しながら、アンカーボルト２に沿って下降する。
土台のボルト孔径は１５ｍｍ又は１８ｍｍであるため、座付きナット１の下端の小径部１１１（１４ｍｍ）はボルト孔４１に内挿される。
【００２０】
（３）座付きナットによる座ぐり
土台４のボルト孔４１の径が１８ｍｍの場合には、座付きナット１の大径部１１２（１６ｍｍ）もボルト孔４１に内挿される。
土台４のボルト孔４１の径が１５ｍｍの場合には、大径部１１２の下端に設けた座ぐり刃１１３が土台４のボルト孔４１の上端の周辺部に接触する。そして、座付きナット１が回転しながら下降するため、座ぐり刃１１３により座ぐりが行われる（図５ｂ）。
座付きナット１に座ぐり刃１１３を設けて座ぐりを行うため、座ぐり専用の工具を用いることなく座ぐりを行うことができる。
座ぐり刃１１３により座ぐりを行う際には、小径部１１１はボルト孔４１の内部に位置している。このため、ボルト孔４１がガイドとなり、安定した姿勢で座ぐりを行うことができる。
座ぐり刃１１３は、小径部１１１の下端ではなく、大径部１１２の下端に設ける。このため、座ぐりする深さが短くなり、施工が容易となる。
【００２１】
（４）座付きナットによる座堀り
座付きナット１が回転しながら下降すると、座部１２の底面の切り刃１５がボルト孔４１上端の周辺部に接触する。切り刃１５は座付きナット１の中心から回転方向とは逆方向に延びており、座付きナット１の回転下降に合わせて切り刃１５により土台４を切削し、座堀りを行う（図５ｃ）。
座掘りにより、座付きナット１の座部１２が土台４に埋入し、土台４上面に突起がなく、土台４をコンクリート基礎２上に固定する（図２）。
上記した座ぐりを行う場合には、座ぐりと座堀りが同時に行われる。このときには、座部１２が土台４に埋入するとともに、大径部１１２がボルト孔４１に隙間無く内挿されるため、座付きナット１と土台４が一体となり固定される。
【００２２】
［その他実施例］
上記実施例では、ネジ孔１３をＭ１２、小径部１１１の外径を１４ｍｍ、大径部１１２の外径を１６ｍｍとしたが、ネジ孔１３をＭ１６、小径部１１１の外径を１７ｍｍ、大径部１１２の外径を２２ｍｍとして、Ｍ１６のアンカーボルト３とボルト孔４１の径が１８ｍｍの土台の組み合わせに対して用いることができるように構成してもよい。
【符号の説明】
【００２３】
１      座付きナット
１１    胴部
１１１  小径部
１１２  大径部
１１３  座ぐり刃
１２    座部
１３    ネジ孔
１４    ビット孔
１５    切り刃
２      コンクリート基礎
３      アンカーボルト
４      土台
４１    ボルト孔
【図１】
0005638442.tif 000002
【図２】
0005638442.tif 000003
【図３】
0005638442.tif 000004
【図４】
0005638442.tif 000005
【図５】
0005638442.tif 000006
【図６】
0005638442.tif 000007